(57)【要約】【課題】操作手段または、制御手段の接続が選択できる熱交換気ユニットを提供する。【解決手段】室外の空気を室内に供給する給気ファンモーター２と室内の空気を室外に排出する排気ファンモーター３の運転停止を行うモーター駆動回路４であるリレーと、給気ファンモーター２と排気ファンモーター３の内部に過電流または、加熱により遮断する遮断手段５ａ、５ｂを備え、遮断手段５ａ、５ｂと直列に接続され、給気ファンモーター２と排気ファンモーター３の異常を検出する電磁開閉器であるリレーの電磁コイルに商用電源が印加される構成である異常検出回路６ａ、６ｂを備え、モーター駆動回路４を操作し、異常検出回路６ａ、６ｂの検出を表示する操作手段１１と、操作装置１１であるリモートコントローラーと接続され、タイマー運転や複雑な運転制御を行える制御手段１９が接続でき、設置場所の使用形態に応じて必要な機能を得られる熱交換気ユニットの制御装置。【選択図】図２
2013217570.tif 000002
【特許請求の範囲】
【請求項１】
室外の空気を室内に供給する給気ファンモーターと室内の空気を室外に排出する排気ファンモーターの運転停止を行うモーター駆動回路であるリレーと、前記、給気ファンモーターと排気ファンモーターの内部に過電流または、加熱により遮断する遮断手段を備え、遮断手段と直列に接続され、給気ファンモーターと排気ファンモーターの異常を検出する電磁開閉器であるリレーの電磁コイルに商用電源が印加される構成である異常検出回路を備え、モーター駆動回路を操作し、異常検出回路の検出を表示する操作手段と、操作装置であるリモートコントローラーと接続され、タイマー運転や、複雑な運転制御を行える制御手段が接続できることを特徴とする熱交換気ユニット。
【請求項２】
制御手段に備えたリレー駆動回路の駆動信号の出力とモーター異常検出回路からの検出信号が入力されるマイクロコンピューターにより、給気ファンモーターおよび排気ファンモーター運転開始時に、給気ファンモーターおよび排気ファンモーターの異常を検出しないことを特徴とする請求項１記載の熱交換気ユニット。
【請求項３】
制御手段に備えたリレー駆動回路の駆動信号の出力とモーター異常検出回路からの検出信号が入力されるマイクロコンピューターにより、瞬時的に発生する商用電源の電圧低下や停電時に給気ファンモーターおよび排気ファンモーターの異常を検出しないことを特徴とする請求項１記載の熱交換気ユニット。
【発明の詳細な説明】
【技術分野】
【０００１】
本発明は、熱交換気ユニットの制御装置に関するものである。
【背景技術】
【０００２】
例えば、サウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、給水管から液体を噴射させる構成となっていた（例えば特許文献１参照）。
【先行技術文献】
【特許文献】
【０００４】
【特許文献１】特開平２−１３３７３２号公報
【発明の概要】
【発明が解決しようとする課題】
【０００５】
このような従来の換気扇の過負荷保護装置では、操作手段であるスイッチとファンモーターの温度を検出する温度プロテクタと温度プロテクタに接続されるリレーとパイロットランプを用いファンモーターの温度上昇により温度プロテクタが作動すると、ファンモーターを一時的に停止し、パイロットランプにて表示するもので、タイマー運転や複雑な制御を行える制御手段の接続ができなかった。
【０００６】
本発明は、このような従来の課題を解決するものであり、操作手段または、制御手段の接続が選択できる、熱交換気ユニットを提供することを目的とするものである。
【課題を解決するための手段】
【０００７】
本発明の熱交換気ユニットは、上記目的を達成するために、室外の空気を室内に供給する給気ファンモーターと室内の空気を室外に排出する排気ファンモーターの運転停止を行うモーター駆動回路であるリレーと、前記、給気ファンモーターと排気ファンモーターの内部に過電流または、加熱により遮断する遮断手段を備え、遮断手段と直列に接続され、給気ファンモーターと排気ファンモーターの異常を検出する電磁開閉器であるリレーの電磁コイルに商用電源が印加される構成である異常検出回路を備え、モーター駆動回路を操作し、異常検出回路の検出を表示する操作手段と、操作装置であるリモートコントローラーと接続され、タイマー運転や、複雑な運転制御を行える制御手段が接続できることを特徴としたものである。
【０００８】
また、他の手段は、制御手段に備えたリレー駆動回路の駆動信号の出力とモーター異常検出回路からの検出信号が入力されるマイクロコンピューターにより、給気ファンモーターおよび排気ファンモーター運転開始時に、給気ファンモーターおよび排気ファンモーターの異常を検出しないことを特徴としたものである。
【０００９】
また、他の手段は、制御手段に備えたリレー駆動回路の駆動信号の出力とモーター異常検出回路からの検出信号が入力されるマイクロコンピューターにより、瞬時的に発生する商用電源の電圧低下や停電時に給気ファンモーターおよび排気ファンモーターの異常を検出しないことを特徴としたものである。
【発明の効果】
【００１０】
本発明によれば、室外の空気を室内に供給する給気ファンモーターと室内の空気を室外に排出する排気ファンモーターの運転停止を行うモーター駆動回路であるリレーと、前記、給気ファンモーターと排気ファンモーターの内部に過電流または、加熱により遮断する遮断手段を備え、遮断手段と直列に接続され、給気ファンモーターと排気ファンモーターの異常を検出する電磁開閉器であるリレーの電磁コイルに商用電源が印加される構成である異常検出回路を備え、モーター駆動回路を操作し、異常検出回路の検出を表示する操作手段と、操作装置であるリモートコントローラーと接続され、タイマー運転や、複雑な運転制御を行える制御手段が接続できることにより、設置場所の使用形態に応じて、熱交換気ユニットを取り換えることなく、必要な機能を得られるという効果のある熱交換気ユニットを提供することができる。
【００１１】
また、制御手段に備えたリレー駆動回路の駆動信号の出力とモーター異常検出回路からの検出信号が入力されるマイクロコンピューターにより、給気ファンモーターおよび排気ファンモーター運転開始時に、給気ファンモーターおよび排気ファンモーターの異常を検出しないことにより、制御手段を選択接続しても給気ファンモーターおよび排気ファンモーター運転開始時の異常の誤認識を防止し、設置場所の使用形態に応じて、熱交換気ユニットを取り換えることなく、必要な機能を得られるという効果のある熱交換気ユニットを提供することができる。
【００１２】
また、制御手段に備えたリレー駆動回路の駆動信号の出力とモーター異常検出回路からの検出信号が入力されるマイクロコンピューターにより、瞬時的に発生する商用電源の電圧低下や停電時に給気ファンモーターおよび排気ファンモーターの異常を検出しないことにより、制御手段を選択接続しても瞬時的な商用電源の低下や停電から復帰した場合の給気ファンモーターおよび排気ファンモーターの異常の誤認識を防止し、設置場所の使用形態に応じて、熱交換気ユニットを取り換えることなく、必要な機能を得られるという効果のある熱交換気ユニットを提供することができる。
【図面の簡単な説明】
【００１３】
【図１】本発明の実施の形態１における熱交換気ユニットの制御装置の操作手段を接続した構成図
【図２】同熱交換気ユニットの制御装置の制御手段を接続した構成図
【図３】同制御装置による運転開始時のタイムチャート
【図４】同制御装置による商用電源低下および瞬時停電時のタイムチャート
【発明を実施するための形態】
【００１４】
本発明の請求項１記載の熱交換気ユニットは、室外の空気を室内に供給する給気ファンモーターと室内の空気を室外に排出する排気ファンモーターの運転停止を行うモーター駆動回路であるリレーと、前記、給気ファンモーターと排気ファンモーターの内部に過電流または、加熱により遮断する遮断手段を備え、遮断手段と直列に接続され、給気ファンモーターと排気ファンモーターの異常を検出する電磁開閉器であるリレーの電磁コイルに商用電源が印加される構成である異常検出回路を備え、モーター駆動回路を操作し、異常検出回路の検出を表示する操作手段と、操作装置であるリモートコントローラーと接続され、タイマー運転や、複雑な運転制御を行える制御手段が接続できることを特徴としたものであり、操作手段を用いた単なる運転、停止動作と、操作装置であるリモートコントローラーを用いた制御手段を用いた複雑な運転動作が選択できるという作用を有する。
【００１５】
また、制御手段に備えたリレー駆動回路の駆動信号の出力とモーター異常検出回路からの検出信号が入力されるマイクロコンピューターにより、給気ファンモーターおよび排気ファンモーター運転開始時に、給気ファンモーターおよび排気ファンモーターの異常を検出しないことを特徴としたものであり、制御手段を選択接続しても給気ファンモーターおよび排気ファンモーター運転開始時の異常の誤認識を防止できるという作用を有する。
【００１６】
また、御手段に備えたリレー駆動回路の駆動信号の出力とモーター異常検出回路からの検出信号が入力されるマイクロコンピューターにより、瞬時的に発生する商用電源の電圧低下や停電時に給気ファンモーターおよび排気ファンモーターの異常を検出しないことを特徴としたものであり、制御手段を選択接続しても瞬時的な商用電源の低下や停電から復帰した場合の給気ファンモーターおよび排気ファンモーターの異常の誤認識を防止できるという作用を有する。
【００１７】
以下、本発明の実施の形態について、図面を参照しながら説明する。
【００１８】
（実施の形態１）
図１および図２に示すように、熱交換気ユニット本体１内に室外の空気を室内に供給する給気ファンモーター２と室内の空気を室外に排出する排気ファンモーター３と、この給気ファンモーター２と排気ファンモーター３の運転停止を行うモーター駆動回路４であるリレーと、前記給気ファンモーター２と排気ファンモーター３の内部に過電流または、加熱により遮断する遮断手段５ａ、５ｂを備え、この遮断手段５ａ、５ｂと直列に接続され、給気ファンモーター２と排気ファンモーター３の異常を検出する電磁開閉器である異常検出回路６ａ、６ｂのリレー電磁コイルに商用電源７が印加されるように構成され、モーター駆動回路４の接点を介して給気ファンモーター２と排気ファンモーター３への電源供給するための電源入力接続部８と、この電源入力接続部８から商用電源を分岐し、給気ファンモーターの異常を検出する異常検出回路６ａと排気ファンモーターの異常を検出する異常検出回路６ｂの接点側と、モーター駆動回路４を操作する開閉器であるスイッチ９と、異常検出回路６ａ、６ｂの出力を表示する表示部１０ａ、１０ｂを備えた操作手段１１へ電源を供給する電源出力接続部１２と異常検出回路６ａおよび６ｂの接点出力を接続する異常出力接続部１３ａ、１３ｂを備えている。
【００１９】
また、図２に示すように電源出力接続部１２接続され、マイクロコンピューター１４の出力信号により駆動されるモーター駆動手段１５であるリレーと、異常出力接続部１３ａ、１３ｂと接続され、給気ファンモーター２と排気ファンモーター３の異常信号が入力され、マイクロコンピューター１４に信号を伝達するモーター異常検出手段１６と、タイマー運転や、複雑な運転動作を設定する操作装置１７であるリモートコントローラーの信号が入力される操作装置接続部１８を備えた制御手段１９を備えている。
【００２０】
次に、制御手段１９接続時の動作を図３および図４で説明する。
【００２１】
図３に示すように、熱交換気ユニット本体１の運転を開始したとき、マイクロコンピューター１４から給気ファンモーター２および排気ファンモーター３を駆動する信号がモーター駆動手段１５に送信される。そして、モーター駆動手段１５は電磁コイルに通電され、接点を閉とするが、マイクロコンピューター１４からの駆動信号送信からモーター駆動手段１５の接点が閉となるまでに、ｔ１の時間を要する。同様にモーター駆動手段１５の接点が閉となり、モーター駆動回路４の電磁コイルに通電され、接点を閉とするまでにｔ２の時間を要し、モーター駆動回路４の接点が閉となり給気ファンモーター２および排気ファンモーター３に通電されるまでにｔ３の時間を要する。そして、給気ファンモーター２および排気ファンモーター３が運転を開始し、異常検出回路６ａ、６ｂの電磁コイルに通電され接点が閉となるまでにｔ４の時間を要し、異常検出回路６ａ、６ｂの接点が閉となったことをモーター異常検出手段１６が認識するまでにｔ５の時間を要しすることになり、マイクロコンピューター１４が給気ファンモーター２および排気ファンモーター３を駆動する信号を送信し、給気ファンモーター２および排気ファンモーター３が正常であるか、異常であるかを認識するまでにＴ１＝ｔ１＋ｔ２＋ｔ３＋ｔ４＋ｔ５の時間を要することとなる。このため、Ｔ１時間の間は給気ファンモーター２および排気ファンモーター３が正常であってもマイクロコンピューター１４は給気ファンモーター２および排気ファンモーター３が異常であると誤認識することとなるため、マイクロコンピューター１４が給気ファンモーター２および排気ファンモーター３を駆動する信号を送信後、Ｔ１に加え、モーター駆動手段１５、モーター駆動回路４、給気ファンモーター２および排気ファンモーター３、異常検出回路６ａ、６ｂ、モーター異常検出手段１６の動作ばらつきを考慮し、Ｘ１の時間を加え、Ｔ１＋Ｘ１の時間は給気ファンモーター２および排気ファンモーター３の異常を認識しないように処理を行う。
【００２２】
また、図４に示すように、マイクロコンピューター１４の信号により給気ファンモーター２および排気ファンモーター３が正常に動作している状態において、商用電源７の電圧低下や瞬時停電が発生した場合、モーター駆動回路４であるリレーの電磁コイルに印加される商用電源７の電圧も低下もしくは瞬断により接点閉を保持できなくなり接点が開となる。そして給気ファンモーター２および排気ファンモーター３への商用電源７の印加も遮断され、異常検出回路６ａ、６ｂの電磁コイルへの印加が遮断され接点が開となる。そして、モーター異常検出手段１６は、異常検出回路６ａ、６ｂの接点が開となったことを検知し、マイクロコンピューター１４に給気ファンモーター２および排気ファンモーター３が異常であるという信号を送信することになり、マイクロコンピューター１４が給気ファンモーター２および排気ファンモーター３の運転信号を送信し、給気ファンモーター２および排気ファンモーター３が異常でなくてもマイクロコンピューター１４には給気ファンモーター２および排気ファンモーター３が異常であると認識することになる。そして、商用電源７が電圧低下や瞬時停電から復帰した場合、モーター駆動回路４、給気ファンモーター２および排気ファンモーター３、異常検出回路６ａ、６ｂ、モーター異常検出手段１６が順次ｔ６、ｔ７、ｔ８の時間を要し、復帰していく。
【００２３】
このため、Ｔ２＝ｔ６＋ｔ７＋ｔ８に加え、モーター駆動手段１５、モーター駆動回路４、給気ファンモーター２および排気ファンモーター３、異常検出回路６ａ、６ｂ、モーター異常検出手段１６の動作ばらつきを考慮し、Ｘ２の時間を加え、マイクロコンピューター１４が給気ファンモーター２および排気ファンモーター３の運転信号を送信中に給気ファンモーター２および排気ファンモーター３の異常を認識した場合は、Ｔ２＋Ｘ２の時間は給気ファンモーター２および排気ファンモーター３の異常を認識しないように処理を行う。
【００２４】
上記構成により、操作手段を用いた単なる運転、停止動作と、制御手段を介して操作装置であるリモートコントローラーを用いた複雑な運転動作が選択できる。
【００２５】
また、制御手段を選択接続しても給気ファンモーターおよび排気ファンモーター運転開始時の異常の誤認識を防止できる。
【００２６】
また、制御手段を選択接続しても瞬時的な商用電源の低下や停電から復帰した場合の給気ファンモーターおよび排気ファンモーターの異常の誤認識を防止できる。
【００２７】
このように本発明の実施の形態１の熱交換気ユニットの制御装置によれば、設置場所の使用形態に応じて、熱交換気ユニットを取り換えることなく、必要な機能を得られることとなる。
【００２８】
また、制御手段を選択接続しても給気ファンモーターおよび排気ファンモーター運転開始時の異常の誤認識を防止し、設置場所の使用形態に応じて、熱交換気ユニットを取り換えることなく、必要な機能を得られることとなる。
【００２９】
また、制御手段を選択接続しても瞬時的な商用電源の低下や停電から復帰した場合の給気ファンモーターおよび排気ファンモーターの異常の誤認識を防止し、設置場所の使用形態に応じて、熱交換気ユニットを取り換えることなく、必要な機能を得られることとなる。
【産業上の利用可能性】
【００３０】
商用電源にて駆動される負荷、例えば本発明で記載のファンモーター、ヒーター、電磁弁、ダンパーと備えた浴室乾燥機や換気扇の用途にも適用できる。
【符号の説明】
【００３１】
１      熱交換気ユニット本体
２      給気ファンモーター
３      排気ファンモーター
４      モーター駆動回路
５ａ    遮断手段
５ｂ    遮断手段
６ａ    異常検出回路
６ｂ    異常検出回路
７      商用電源
８      電源入力接続部
９      スイッチ
１０ａ  表示部
１０ｂ  表示部
１２    電源出力接続部
１３ａ  異常出力接続部
１３ｂ  異常出力接続部
１４    マイクロコンピューター
１５    モーター駆動手段
１６    モーター異常検出手段
１７    操作装置
１８    操作装置接続部
１９    制御手段
【図１】
2013217570.tif 000003
【図２】
2013217570.tif 000004
【図３】
2013217570.tif 000005
【図４】
2013217570.tif 000006